(57)【要約】【課題】処理装置本体に対してキーボードを任意に着脱できると共に、キーボードを処理装置本体から取り外した場合においても入力操作を可能とする。【解決手段】キーボード１６は、ケース本体に着脱可能に設けられ、キー群１７、電源スイッチ１８、キーボード制御部４１、バッテリ４３、ケース本体に装着したときに処理装置本体に接続するコネクタ４２を備えると共に、ケース本体から取り外したときに処理装置本体と無線通信する無線通信部４４を備えている。キーボード１６は、ケース本体に装着された状態ではコネクタ４２を介して処理装置本体と信号の授受を行なうと共に処理装置本体からの供給電源によりバッテリ４３を充電する。キーボード１６は、ケース本体から取り外されると、バッテリ４３の電源を無線通信部４４に供給して処理装置本体との信号の授受を無線により行ない、キー操作信号を無線で処理装置本体に送信する。【選択図】　　図５
2004038332.tif 000002
【特許請求の範囲】
【請求項１】
本体と、
前記本体に着脱可能に設けられるキーボードと、
前記本体に設けられ、前記キーボードと電気的に接続される第１のコネクタと、
前記本体に設けられる第１の無線通信部と、
前記キーボードに設けられ、該キーボードが前記本体に装着された際に前記第１のコネクタに接続されて信号を伝送する第２のコネクタと、
前記キーボードに設けられ、該キーボードが前記本体から取り外された場合に前記第１の無線通信部との間で信号を送受信する第２の無線通信部と、
を具備したことを特徴とする情報処理装置。
【請求項２】
前記キーボードは、本体の電源をオン／オフする電源スイッチを備えたことを特徴とする請求項１記載の情報処理装置。
【請求項３】
前記本体は、スタンバイ、ハイバネーションの機能を備え、前記スタンバイ、ハイバネーションからの復帰処理を前記キーボードから送られてくる電源スイッチの操作信号により実行することを特徴とする請求項２記載の情報処理装置。
【請求項４】
前記キーボードは、バッテリと、本体に装着された際に該本体から供給される電源により前記バッテリへの充電を行なう充電制御部とを備えたことを特徴とする請求項１ないし３何れか記載の情報処理装置。
【請求項５】
前記キーボードは、コネクタによる本体との接続の有無を検出する接続検出部を備え、前記接続検出部により非接続の状態を検出した場合に前記バッテリから前記第２の無線通信部へ電源を供給することを特徴とする請求項４記載の情報処理装置。
【請求項６】
前記キーボードは、コネクタによる本体との接続の有無を検出する接続検出部を備え、前記接続検出部により接続の状態を検出した場合に前記バッテリから前記第２の無線通信部への電源供給を遮断することを特徴とする請求項４の情報処理装置。
【請求項７】
前記キーボードは、バッテリの残量を検出する手段を備え、バッテリ残量がロウバッテリ状態になったことを検出した際にバッテリ残量低下情報を無線通信により本体に送信することを特徴とする請求項５記載の情報処理装置。
【請求項８】
前記本体は、キーボードから無線通信により送られてくるバッテリ残量低下情報を受信した際に、バッテリの充電を促す情報を画面に表示することを特徴とする請求項７記載の情報処理装置。
【請求項９】
本体と、
前記本体に着脱可能に設けられるキーボードと、
前記本体に設けられ、前記キーボードと電気的に接続される第１のコネクタと、
前記本体に設けられる第１の無線通信部と、
前記キーボードに設けられ、該キーボードが前記本体に装着された際に前記第１のコネクタに接続されて信号を伝送する第２のコネクタと、
前記キーボードに設けられ、該キーボードが前記本体から取り外された場合に前記第１の無線通信部との間で信号を送受信する第２の無線通信部と、
前記本体に設けられ、前記第１のコネクタと第２のコネクタが接続された場合にキーボードのバッテリへ電源を供給すると共に、前記第１の無線通信部への電源供給を遮断する第１の電源供給手段と、
前記キーボードに設けられ、前記第１のコネクタと第２のコネクタが接続された場合に前記第２の無線通信部への電源供給を遮断する第２の電源供給手段と、
を具備したことを特徴とする情報処理装置。
【請求項１０】
前記キーボードに設けられて本体の電源をオン／オフする電源スイッチと、前記本体に設けられたスタンバイ、ハイバネーション機能とを備え、前記スタンバイ、ハイバネーション機能が指定された際、該スタンバイ、ハイバネーションからの復帰処理を前記キーボードから送られてくる電源スイッチの操作信号により実行することを特徴とする請求項９記載の情報処理装置。
【請求項１１】
前記本体に設けられた第１の電源供給手段は、キーボードが装着された際、本体のＡＣアダプタ装着時及びバッテリ残量が所定値以上の場合のみキーボード側バッテリへの充電を行なうことを特徴とする請求項１０記載の情報処理装置。
【発明の詳細な説明】
【０００１】
【発明の属する技術分野】
本発明は、キーボードが着脱可能に設けられた情報処理装置に関する。
【０００２】
【従来の技術】
従来、情報処理装置、例えばノート型のパーソナルコンピュータにおいては、入力装置、特にキーボードはケース本体の上面に配設されており、ユーザは常にディスプレイと近接した状態で、キーボードからの入力を行なっている。
【０００３】
【発明が解決しようとする課題】
上記のように従来のパーソナルコンピュータでは、キーボードが固定的に配設されているため、ユーザはディスプレイとの距離が一定となり、かつ使用状態の自由度が限られてしまうという問題があった。
また、従来、キーボードをケーブルによりコンピュータ本体に接続して使用することも行なわれているが、この場合においてもユーザの使用環境としては決して自由度が高いと云えるものではない。
【０００４】
本発明は上記の課題を解決するためになされたもので、本体に対してキーボードを任意に着脱できると共に、キーボードを本体から取り外した場合においても入力操作を確実かつ容易に行なうことができ、入力操作の自由度を著しく向上することができる情報処理装置を提供することを目的とする。
【０００５】
【課題を解決するための手段】
本発明に係る情報処理装置は、本体と、前記本体に着脱可能に設けられるキーボードと、前記本体に設けられ、前記キーボードと電気的に接続される第１のコネクタと、前記本体に設けられる第１の無線通信部と、前記キーボードに設けられ、該キーボードが前記本体に装着された際に前記第１のコネクタに接続されて信号を伝送する第２のコネクタと、前記キーボードに設けられ、該キーボードが前記本体から取り外された場合に前記第１の無線通信部との間で信号を送受信する第２の無線通信部とを具備したことを特徴とする。
【０００６】
上記の構成において、本体にキーボードを装着した状態では、両者間における信号の授受が第１及び第２のコネクタを介して行なわれ、本体からキーボードを取り外した状態では両者間における信号の授受が第１及び第２の無線通信部を介して行なわれる。従って、キーボードを本体から取り外した状態においても入力操作を確実に行なうことができ、入力操作の自由度を著しく向上することができる。
【０００７】
【発明の実施の形態】
以下、図面を参照して本発明の実施形態を説明する。
図１は本発明を情報処理装置例えばノート型のパーソナルコンピュータに実施した場合の構成例を示す外観斜視図、図２はケース本体からキーボードを取り外す場合の状態を示す外観斜視図、図３はケース本体からキーボードを取り外した状態を示す外観斜視図である
図１において、１０はパーソナルコンピュータ（パソコン）で、ケース本体１１及び蓋体１２からなり、この蓋体１２の内側面すなわちケース本体１１に対向する側に表示デバイス例えばＬＣＤ（液晶）パネル１３が設けられる。上記蓋体１２は、ケース本体１１の後部にヒンジ１４ａ、１４ｂにより回動可能に保持される。
【０００８】
上記ケース本体１１には、上面にポインティングデバイス１５及びキーボード１６が設けられる。このキーボード１６は、図２に示すようにケース本体１１の上面側に形成された凹部２０に対し、ケース本体１１に設けられている着脱部材（図示せず）あるいはネジ等により着脱可能に設けられており、上面側にキーボード（ＫＢ）１７、電源スイッチ（電源ＳＷ）１８、無線オン／オフスイッチ（無線オン／オフＳＷ）１９等が設けられると共に、下面側に詳細を後述する無線通信手段、チャンネル切替スイッチ、コネクタ、バッテリ等が設けられる。
【０００９】
また、凹部２０には、キーボード側コネクタと接続するための後述する本体側コネクタが設けられており、キーボード１６をケース本体１１の凹部２０に装着したとき、キーボード側コネクタが本体側コネクタに結合し、キーボード側のシステムがコネクタを介してケース本体１１側の処理装置本体（本体システム）に接続される。上記コネクタは、処理装置本体とキーボード１６との間の信号の授受を行なうと共に、処理装置本体からキーボード１６へ電源を供給する。
【００１０】
また、上記キーボード１６は、ケース本体１１から取り外した場合に、上記無線通信手段により処理装置本体と通信し、キー操作信号（キーコード）が処理装置本体に送信されるように構成されている。更に、キーボード１６の下面側には、詳細を後述するように本体側コネクタとキーボード側コネクタとの接続状態を検出する接続検出部が設けられている。
【００１１】
次に上記パーソナルコンピュータ１０のケース本体１１側に設けられる処理装置本体の主要回路構成について図４を参照して説明する。
処理装置本体の主要部は、図４に示すように、ＣＰＵ２１、メインメモリ２２、第１のブリッジ回路２３、第２のブリッジ回路２４、ＢＩＯＳ−ＲＯＭ２５、ＥＣ／ＫＢＣ２６、制御部２７、無線通信部２８、無線通信用アンテナ２９、バッテリ３０、本体側コネクタ３１等により構成される。上記無線通信用アンテナ２９は、例えばケース本体１１内の前端側等に配設される。
【００１２】
ＣＰＵ２１は、システム全体の制御を司るもので、ＢＩＯＳ−ＲＯＭ２５に格納された制御プログラム（ＢＩＯＳ）に従って動作する。メインメモリ２２は、ＣＰＵ２１による読み書き可能なメモリ装置であり、ＣＰＵ２１の制御動作に伴い、必要なデータを一時保存する。
【００１３】
第１のブリッジ回路２３は、ＣＰＵ２１のローカルバスとハブリンク（Ｈｕｂ　ｌｉｎｋ）３２との間を双方向で接続するブリッジデバイスであり、第２のブリッジ回路２４は、ハブリンク（Ｈｕｂ　ｌｉｎｋ）３２とＬＰＣバス３３との間を双方向で接続するブリッジデバイスである。
【００１４】
上記ＬＰＣバス３３には、ＢＩＯＳ−ＲＯＭ２５及びＥＣ／ＫＢＣ２６が接続される。このＥＣ／ＫＢＣ２６には、バッテリ３０から電源が供給されると共に、制御部２７が接続される。この制御部２７に本体側コネクタ３１が接続される。上記バッテリ３０は、図示しないがＡＣアダプタを用いた電源部により充電される。
【００１５】
ＥＣ／ＫＢＣ２６と制御部２７とはＰＳ／２インターフェースで接続されている。
【００１６】
制御部２７は、内部に無線通信部２８が設けられており、無線通信部２８を介して受信した信号をＰＳ／２形式のデータに変換したり、無線通信部２８及び本体側コネクタ３１から送信される信号の送信制御を行なう。
【００１７】
上記ＥＣ／ＫＢＣ２６は、システムが持つ付加機能を制御するためのコントローラであり、例えばシステム電源のオン／オフ、スタンバイ、ハイバネーションなどの電源シーケンス制御機能、キーボードコントロール機能、及び無線通信部２８に対する無線通信制御機能等を備えている。
【００１８】
上記スタンバイ機能とは、電源がオンの状態で表示画面をオフにし、ＣＰＵ２１及び他のデバイスが休止している状態であり、このスタンバイの状態で電源スイッチ１８を押すと、以前の状態が素早く再現される。また、ハイバネーション機能とは、処理装置本体の電源を切るときに、メモリの内容をハードディスクディスク（図示せず）に保存する機能であり、このハイバネーション状態で電源スイッチ１８を押すと、以前の状態が再現される。電源を切るシャットダウン、スタンバイ、ハイバネーションの機能は、操作メニューにより指定できると共に、特定のファンクションキーによって指定することができる。
【００１９】
また、ＥＣ／ＫＢＣ２６は、キーボード１６がケース本体１１に装着されている状態では無線通信部２８への電源供給は行なわず、キーボード１６がケース本体１１から取り外されると、無線通信部２８へ電源を供給する。
【００２０】
本体側コネクタ３１は、上記したようにケース本体１１の凹部２０に設けられ、キーボード１６が凹部２０に装着された際に図５に示すキーボード側コネクタ４２に電気的に接続される。このときＥＣ／ＫＢＣ２６は、ＡＣアダプタにより電源が供給されている場合、本体側コネクタ３１及びキーボード側コネクタ４２を介してキーボード１６側に電源を供給する。
【００２１】
また、ＡＣアダプタが接続されている場合や、バッテリ残量が所定値以上の場合は、バッテリ４３へ充電用の電源を供給する。ここで、例えば本体側のバッテリ３０の残量が所定量以上の場合は、キーボード１６に設けられたバッテリ４３へ充電用の電源を供給するが、所定残量より少なくなった場合は、充電用の電源を供給しないようにしてもよい。
【００２２】
無線通信部２８は、ケース本体１１の凹部２０からキーボード１６が取り外された場合に、ＥＣ／ＫＢＣ２６の制御により電源が供給されて動作し、無線通信用アンテナ２９を介して図５に示すキーボード１６側に設けられている無線通信部４４と無線通信を行なう。無線通信部２８は、基本的にはキーボード１６側の無線通信部４４から送信される信号を受信する。上記無線通信部２８、４４は、例えば２８ＭＨｚ帯で２つのチャンネルを選択的に使用して無線通信を行なう。
【００２３】
次にキーボード１６側のシステム構成について図５を参照して説明する。キーボード１６には、キー群１７、キーボード制御部４１、コネクタ４２、バッテリ４３、無線通信部４４、無線通信用アンテナ４５、電源スイッチ１８、無線オン／オフスイッチ１９、チャンネル切替スイッチ４６等が設けられる。上記キーボード制御部４１は、キーボード１６の全体の制御を行なうもので、コネクタ３１、４２の接続状態を検出する接続検出部４１１及びバッテリ４３の充電を制御する充電制御部４１２を備えている。
【００２４】
キーボード側コネクタ４２は、キーボード１６の下側に設けられ、キーボード１６がケース本体１１の凹部２０に装着された際に本体側コネクタ３１に結合する。キーボード制御部４１は、キーボード側コネクタ４２と本体側コネクタ３１との接続を接続検出部４１１によって検出し、その検出信号に従って無線通信部４４への電源供給、及びバッテリ４３への電源供給を制御する。すなわち、キーボード制御部４１は、キーボード側コネクタ４２が本体側コネクタ３１に接続された状態では、無線通信部４４への電源供給を停止し、処理装置本体から送られてくる電源により充電制御部４１２を介してバッテリ４３を充電する。充電制御部４１２は、バッテリ４３の充電が完了すると、バッテリ４３への電源供給を停止する。
【００２５】
また、キーボード制御部４１は、キーボード１６がケース本体１１に装着されている状態では、キー群１７の操作信号及び電源スイッチ１８のオン／オフ信号をキーボード側コネクタ４２及び本体側コネクタ３１を介して処理装置本体へ送出する。
【００２６】
また、キーボード制御部４１は、キーボード１６がケース本体１１から取り外された場合には、バッテリ４３からの電源を無線通信部４４に供給して動作させ、キー群１７の操作信号及び電源スイッチ１８のオン／オフ信号を無線通信用アンテナ４５を介して処理装置本体側の無線通信部２８へ送信する。上記無線通信用アンテナ４５は、例えばキーボード１６の前端壁に沿って配設される。
【００２７】
上記のようにバッテリ４３の電源を無線通信部４４に供給している場合、キーボード制御部４１は充電制御部４１２を介してバッテリ４３の電圧レベルをチェックし、ロウバッテリ状態にまで低下すると、その状態を示す情報を無線で処理装置本体に送信する。
【００２８】
無線オン／オフスイッチ１９は、例えば病院や、航空機等、無線の使用が禁止されている場合に無線通信部４４の動作を停止させるためのスイッチである。　また、キーボード１６の下面側に設けられるチャンネル切替スイッチ４６は、他のパーソナルコンピュータが近くに存在し、キーボード側無線通信部４４と処理装置本体側の無線通信部２８との通信が影響を受けるような場合に、無線通信部４４の通信チャンネルを切替えるためのスイッチである。
【００２９】
次に、上記実施形態の全体の動作を説明する。
処理装置本体に設けられているＬＣＤパネル１３に近い位置でキー群１７を操作する場合には、キーボード１６をケース本体１１の凹部２０に装着して使用する。
キーボード１６をケース本体１１の凹部２０に装着した状態では、キーボード側コネクタ４２が本体側コネクタ３１に結合して電気的に接続される。キーボード制御部４１は、キーボード側コネクタ４２が本体側コネクタ３１に接続されたことを接続検出部４１１により検出し、無線通信部４４への電源供給を停止すると共に、キー群１７及び電源スイッチ１８の操作信号をキーボード側コネクタ４２及び本体側コネクタ３１を介して処理装置本体へ送出する。また、キーボード制御部４１は、処理装置本体から供給される電源により、充電制御部４１２を介してバッテリ４３を充電する。充電制御部４１２は、バッテリ４３の充電状態をチェックし、充電が完了するとバッテリ４３への充電を停止する。
【００３０】
一方、処理装置本体では、ケース本体１１にキーボード１６が装着され、本体側コネクタ３１とキーボード側コネクタ４２が接続されると、その状態をＥＣ／ＫＢＣ２６により検出し、無線通信部２８への電源供給を停止する。また、ＥＣ／ＫＢＣ２６は、本体側コネクタ３１及びキーボード側コネクタ４２を介して送られてくる電源スイッチ１８、キー群１７の操作信号に応じて電源のオン／オフ制御を行なうと共に、電源がオンしている状態ではキー群１７の各キー操作に対応する信号をＬＰＣバス３３、第２のブリッジ回路２４、ハブリンク（Ｈｕｂ　ｌｉｎｋ）３２及び第１のブリッジ回路２３を介してＣＰＵ２１へ出力する。ＣＰＵ２１は、上記キー群１７の操作に対応した処理を実行する。
【００３１】
また、ＥＣ／ＫＢＣ２６は、電源のオン／オフ制御の他、スタンバイ、ハイバネーションの機能が指定されたときにその制御動作を実行すると共に、スタンバイあるいはハイバネーションの状態で電源スイッチ１８が押されると、元の状態に復帰させる。
【００３２】
上記のようにキーボード１６をケース本体１１に装着した状態では、キーボード１６と処理装置本体との間の信号の授受は、キーボード側コネクタ４２及び本体側コネクタ３１を介して行なわれる。
【００３３】
そして、処理装置本体に設けられているＬＣＤパネル１３から少し離れた位置でキー群１７を操作する場合には、キーボード１６をケース本体１１の凹部２０から取り外して使用する。
【００３４】
キーボード１６をケース本体１１から取り外すと、キーボード側コネクタ４２が本体側コネクタ３１から離れる。キーボード制御部４１は、キーボード側コネクタ４２と本体側コネクタ３１との間の接続状態を接続検出部４１１により常時チェックしており、両者間が遮断されたことを検出すると、無線オン／オフスイッチ１９のオン／オフ状態をチェックし、オン状態になっていればバッテリ４３からの電源を無線通信部４４へ供給する。この場合、無線オン／オフスイッチ１９がオフ状態であれば、無線通信部４４への電源供給は行なわれない。
【００３５】
また、キーボード制御部４１は、チャンネル切替スイッチ４６による指定チャンネルをチェックして無線通信部４４の送信チャンネルを設定し、電源スイッチ１８の操作信号及びキー群１７の操作信号等を無線通信部４４に入力する。
【００３６】
無線通信部４４は、バッテリ４３から電源が供給されると動作状態となり、電源スイッチ１８及びキー群１７の操作信号等を指定のチャンネルで無線通信用アンテナ４５より処理装置本体へ送信する。
【００３７】
また、キーボード制御部４１は、キー操作が一定時間以上行なわれないと、無線通信部４４への電源供給を遮断して消費電力を節約し、その後、キー操作が行なわれた時点で無線通信部４４への電源供給を開始する。
【００３８】
なお、近くに他のパーソナルコンピュータが存在し、キーボード１６と処理装置本体との間の通信に影響する場合には、チャンネル切替スイッチ４６により無線通信部４４の送信チャンネルを他のチャンネルに切替えて使用する。
【００３９】
一方、処理装置本体では、ケース本体１１からキーボード１６が取り外され、本体側コネクタ３１とキーボード側コネクタ４２との接続が遮断されると、その状態をＥＣ／ＫＢＣ２６により検出し、無線通信部２８へ電源を供給して信号の待ち受け状態とする。この信号の待ち受け状態では、無線通信部２８に対して所定の時間間隔で電源を供給し、すなわち、キーボード１６の無線通信部４４から送られてくる信号を検出できる時間間隔で電源を供給し、消費電力を節約する。
【００４０】
ＥＣ／ＫＢＣ２６は、キーボード１６の無線通信部４４から送られてくる操作信号を無線通信部２８で一旦受信すると、その後は、無線通信部２８に連続して電源を供給するが、キーボード１６からの信号が予め設定した時間途絶えると、無線通信部２８を再び信号待ち受け状態にする。
【００４１】
上記ＥＣ／ＫＢＣ２６は、キーボード１６の無線通信部４４から送られてくる操作信号を無線通信部２８で受信し、その受信信号に応じた処理を実行する。すなわち、ＥＣ／ＫＢＣ２６は、キーボード１６から無線で送られてくる電源スイッチ１８及びキー群１７の操作信号に応じて電源のオン／オフ制御を行なうと共に、電源がオンしている状態ではキー群１７の各キーの入力操作に対する制御動作を実行する。また、ＥＣ／ＫＢＣ２６は、電源のオン／オフ制御の他、スタンバイ、ハイバネーションの機能が指定されたときにその制御動作を実行すると共に、スタンバイあるいはハイバネーションの状態で電源スイッチ１８が押されると、元の状態に復帰させる。
【００４２】
また、ケース本体１１からキーボード１６を取り外した後、キーボード側無線通信部４４と本体側無線通信部２８との間で最初の通信が行なわれると、ＣＰＵ２１は通信に使用されているチャンネル番号を画面の一部に表示する。このチャンネル番号は、一定時間あるいは次のキー操作が行なわれるまで表示される。また、チャンネル切替スイッチ４６によりチャンネルを切替えた際にも、そのチャンネル番号が画面に表示される。
【００４３】
上記のようにケース本体１１からキーボード１６を取り外した状態においても、ケース本体１１にキーボード１６を装着している場合と同様の動作を行なわせることができ、ユーザの使用環境における自由度を著しく向上することができる。
【００４４】
また、ケース本体１１からキーボード１６を取り外して使用している場合、キーボード制御部４１は、図６のフローチャートに示すように充電制御部４１２によりバッテリ４３の残量がロウバッテリ状態になったかどうかを所定の時間間隔でチェックしており（ステップＡ１）、ロウバッテリ状態になったことを検出すると、バッテリ残量が低下したことを示す情報を無線通信部４４から処理装置本体に送信する（ステップＡ２）。
【００４５】
処理装置本体のＣＰＵ２１は、キーボード１６からバッテリ残量の低下を示す情報が送られてくると、ＬＣＤパネル１３に例えば「バッテリ残量が少なくなりました。本体に接続して充電して下さい。」等のポップアップ画面を表示する。ユーザは、このポップアップ画面により、バッテリ残量が少なくなったことを確認でき、キーボード１６をケース本体１１に装着してバッテリ４３への充電を行なうことができる。
【００４６】
【発明の効果】
以上詳記したように本発明によれば、処理装置本体に対してキーボードを任意に着脱できると共に、キーボードを処理装置本体から取り外した状態においても入力操作を確実かつ容易に行なうことができ、入力操作の自由度を著しく向上することができる。
【図面の簡単な説明】
【図１】本発明の一実施形態に係るパーソナルコンピュータの蓋を開いた状態を示す外観斜視図。
【図２】同実施形態において、ケース本体からキーボードを取り外す場合の状態を示す外観斜視図。
【図３】同実施形態において、ケース本体からキーボードを取り外した状態を示す外観斜視図。
【図４】同実施形態における処理装置本体の主要部の回路構成を示すブロック図。
【図５】同実施形態におけるキーボード側の構成を示すブロック図。
【図６】同実施形態において、キーボード側におけるバッテリ残量のチェック動作を示すフローチャート。
【符号の説明】
１０…パーソナルコンピュータ
１１…ケース本体
１２…蓋体
１３…ＬＣＤパネル
１４ａ、１４ｂ…ヒンジ
１５…ポインティングデバイス
１６…キーボード
１７…キーボード
１８…電源スイッチ（電源ＳＷ）
１９…無線オン／オフスイッチ（無線オン／オフＳＷ）
２０…凹部
２１…ＣＰＵ
２２…メインメモリ
２５…ＢＩＯＳ−ＲＯＭ
２６…ＥＣ／ＫＢＣ
２７…制御部
２８…本体側無線通信部
２９…本体側無線通信用アンテナ
３０…バッテリ
３１…本体側コネクタ
３２…ハブリンク（Ｈｕｂ　ｌｉｎｋ）
３３…ＬＰＣバス
４１…キーボード制御部
４１１…接続検出部
４１２…充電制御部
４２…キーボード側コネクタ
４３…バッテリ
４４…キーボード側無線通信部
４５…キーボード側無線通信用アンテナ
４６…チャンネル切替スイッチ（チャンネル切替ＳＷ）
【図１】
2004038332.tif 000003
【図２】
2004038332.tif 000004
【図３】
2004038332.tif 000005
【図４】
2004038332.tif 000006
【図５】
2004038332.tif 000007
【図６】
2004038332.tif 000008